(57)【要約】【課題】連続して実行するジョブの本印刷の間に発生する非印刷時間を減少させることができる画像形成装置を提供すること。【解決手段】設定に従ってジョブの印刷を実行する画像形成装置であって、設定がそれぞれ指定された複数のジョブの本印刷又は試し刷り印刷の実行要求を受け付ける受付手段と、実行要求を受け付けたジョブの本印刷又は試し刷り印刷を、設定に従って実行する印刷手段と、印刷手段で一のジョブの本印刷が実行されている間に、一のジョブとは異なる他のジョブの試し刷り印刷の実行要求を受付手段が受け付けると、一のジョブの本印刷に割り込ませて他のジョブの試し刷り印刷を印刷手段に実行させる印刷制御手段と、一のジョブにより本印刷した記録媒体と他のジョブにより試し刷り印刷した記録媒体とを異なる排紙口から排紙するように制御する排紙制御手段とを有することにより上記課題を解決する。【選択図】  図１
2019171830.tif 000002
【特許請求の範囲】
【請求項１】
設定に従ってジョブの印刷を実行する画像形成装置であって、
設定がそれぞれ指定された複数のジョブの本印刷又は試し刷り印刷の実行要求を受け付ける受付手段と、
前記実行要求を受け付けたジョブの本印刷又は試し刷り印刷を、設定に従って実行する印刷手段と、
前記印刷手段で一のジョブの本印刷が実行されている間に、前記一のジョブとは異なる他のジョブの試し刷り印刷の実行要求を前記受付手段が受け付けると、前記一のジョブの本印刷に割り込ませて前記他のジョブの試し刷り印刷を前記印刷手段に実行させる印刷制御手段と、
前記一のジョブにより本印刷した記録媒体と前記他のジョブにより試し刷り印刷した記録媒体とを異なる排紙口から排紙するように制御する排紙制御手段と
を有する画像形成装置。
【請求項２】
前記受付手段は、
ジョブの設定を操作者から受け付ける設定受付手段と、
操作者から受け付けた設定に従ったジョブの試し刷り印刷の実行要求を受け付ける試し刷り印刷実行要求受付手段と、
操作者から受け付けた設定に従ったジョブの本印刷の実行要求を受け付ける本印刷実行要求受付手段と、
を有することを特徴とする請求項１記載の画像形成装置。
【請求項３】
前記印刷制御手段は、前記印刷手段で一のジョブの本印刷が実行されている間に、前記一のジョブとは異なる他のジョブの本印刷の実行要求を前記受付手段が受け付けると、前記一のジョブの本印刷の完了後に前記他のジョブの本印刷を前記印刷手段に実行させることを特徴とする請求項１又は２記載の画像形成装置。
【請求項４】
前記印刷手段は、液滴を記録媒体に吐出して、記録媒体の表面に画像を形成することを特徴とする請求項１乃至３何れか一項記載の画像形成装置。
【請求項５】
前記印刷手段は、トナー像を記録媒体に転写して、記録媒体の表面に画像を形成することを特徴とする請求項１乃至３何れか一項記載の画像形成装置。
【請求項６】
設定に従ってジョブの印刷を実行する画像形成装置の制御方法であって、
設定がそれぞれ指定された複数のジョブの本印刷又は試し刷り印刷の実行要求を受付手段が受け付ける受付ステップと、
前記実行要求を受け付けたジョブの本印刷又は試し刷り印刷を、設定に従って印刷手段が実行する印刷ステップと、
前記印刷手段で一のジョブの本印刷が実行されている間に、前記一のジョブとは異なる他のジョブの試し刷り印刷の実行要求を前記受付手段が受け付けると、前記一のジョブの本印刷に割り込ませて前記他のジョブの試し刷り印刷を前記印刷手段に実行させる印刷制御ステップと、
前記一のジョブにより本印刷した記録媒体と前記他のジョブにより試し刷り印刷した記録媒体とを異なる排紙口から排紙するように制御する排紙制御ステップと
を有する制御方法。
【請求項７】
設定に従ってジョブの印刷を実行する画像形成装置を、
設定がそれぞれ指定された複数のジョブの本印刷又は試し刷り印刷の実行要求を受け付ける受付手段、
前記実行要求を受け付けたジョブの本印刷又は試し刷り印刷を、設定に従って実行する印刷手段、
前記印刷手段で一のジョブの本印刷が実行されている間に、前記一のジョブとは異なる他のジョブの試し刷り印刷の実行要求を前記受付手段が受け付けると、前記一のジョブの本印刷に割り込ませて前記他のジョブの試し刷り印刷を前記印刷手段に実行させる印刷制御手段、
前記一のジョブにより本印刷した記録媒体と前記他のジョブにより試し刷り印刷した記録媒体とを異なる排紙口から排紙するように制御する排紙制御手段
として機能させるためのプログラム。
【請求項８】
操作者が操作する端末装置と、設定に従ってジョブの印刷を実行する画像形成装置とを有する印刷システムであって、
前記端末装置は、
設定がそれぞれ指定された複数のジョブの本印刷又は試し刷り印刷の実行要求を受け付ける受付手段と、
受け付けた前記実行要求を前記画像形成装置に送信する送信手段と、
を有し、
前記画像形成装置は、
前記端末装置から前記実行要求を受信する受信手段と、
前記実行要求を受信したジョブの本印刷又は試し刷り印刷を、設定に従って実行する印刷手段と、
前記印刷手段で一のジョブの本印刷が実行されている間に、前記一のジョブとは異なる他のジョブの試し刷り印刷の実行要求を前記受付手段が受け付けると、前記一のジョブの本印刷に割り込ませて前記他のジョブの試し刷り印刷を前記印刷手段に実行させる印刷制御手段と、
前記一のジョブにより本印刷した記録媒体と前記他のジョブにより試し刷り印刷した記録媒体とを異なる排紙口から排紙するように制御する排紙制御手段と、
を有する印刷システム。
【発明の詳細な説明】
【技術分野】
【０００１】
本発明は画像形成装置、制御方法、プログラム及び印刷システムに関する。
【背景技術】
【０００２】
近年、画像形成装置は大型・高性能化し、短時間に大量の印刷物の生成ができるようになった。
【０００３】
従来の画像形成装置には、大量枚数の印刷が高速で行われる場合に、開閉がロックされた大容量スタッカに印刷物を収納するものがある。このような従来の画像形成装置には稼働中であっても、印刷物の仕上がりを確認できるサンプル出力（試しコピー）機能を備えたものがあった。サンプル出力としては、例えば、オペレータの操作により、操作と略同時に印刷中の用紙の給紙、印刷を二重に行い、一方の用紙は通常のジョブの用紙として扱い、他方の用紙を画像形成状況の確認がしやすい他の排紙トレイに排紙する、というものである（例えば特許文献１参照）。
【発明の概要】
【発明が解決しようとする課題】
【０００４】
商用印刷のような大量枚数の印刷を実行する場合は、本印刷の前に、色味の調整などを行うため、ジョブ設定と試し刷り印刷とを繰り返す。しかし、連続して複数のジョブの印刷を実行する場合は、先行ジョブの本印刷が完了するまで、後続ジョブの試し刷り印刷ができなかった。このように、従来の画像形成装置では先行ジョブの本印刷が完了してから後続ジョブのジョブ設定と試し刷り印刷とを繰り返して色味の調整などを行うため、本印刷を行う印刷時間（アップタイム）以外の非印刷時間（ダウンタイム）が増加するという問題があった。
【０００５】
本発明の実施の形態は、上記の点に鑑みなされたもので、連続して実行するジョブの本印刷の間に発生する非印刷時間を減少させることができる画像形成装置を提供することを目的とする。
【課題を解決するための手段】
【０００６】
上記目的を解決するため、本願請求項１は、設定に従ってジョブの印刷を実行する画像形成装置であって、設定がそれぞれ指定された複数のジョブの本印刷又は試し刷り印刷の実行要求を受け付ける受付手段と、前記実行要求を受け付けたジョブの本印刷又は試し刷り印刷を、設定に従って実行する印刷手段と、前記印刷手段で一のジョブの本印刷が実行されている間に、前記一のジョブとは異なる他のジョブの試し刷り印刷の実行要求を前記受付手段が受け付けると、前記一のジョブの本印刷に割り込ませて前記他のジョブの試し刷り印刷を前記印刷手段に実行させる印刷制御手段と、前記一のジョブにより本印刷した記録媒体と前記他のジョブにより試し刷り印刷した記録媒体とを異なる排紙口から排紙するように制御する排紙制御手段とを有することを特徴とする。
【発明の効果】
【０００７】
本発明の実施の形態によれば、連続して実行するジョブの本印刷の間に発生する非印刷時間を減少させることができる。
【図面の簡単な説明】
【０００８】
【図１】本実施形態に係る画像形成装置の一例の構成図である。
【図２】本実施形態に係る画像形成装置の他の例の構成図である。
【図３】コンピュータの一例のハードウェア構成図である。
【図４】本実施形態に係る画像形成装置の一例の機能ブロック図である。
【図５】連続して実行するジョブの本印刷の間に発生するダウンタイムについて説明するための模式図である。
【図６】本実施形態に係る画像形成装置において、連続して実行するジョブの本印刷の間に発生するダウンタイムについて説明するための模式図である。
【図７】本実施形態に係る画像形成装置において、連続して実行するジョブの試し刷り印刷及び本印刷の一例のタイムテーブルである。
【図８】本実施形態に係る操作画面の一例のイメージ図である。
【図９】印刷制御部が印刷部に実行させる試し刷り印刷又は本印刷を制御する処理の一例のフローチャートである。
【図１０】本実施形態に係る印刷システムの一例の構成図である。
【発明を実施するための形態】
【０００９】
次に、本発明を実施するための形態を、以下の実施例に基づき図面を参照しつつ説明していく。
［第１の実施形態］
＜ハードウェア構成＞
図１は本実施形態に係る画像形成装置の一例の構成図である。図１の画像形成装置１は作像ユニット１０１、先塗ユニット１０２、給紙ユニット１０３、乾燥・冷却ユニット１０４、反転ユニット１０５、及び、排紙ユニット１０６を有する。給紙ユニット１０３は記録媒体の一例である用紙を作像ユニット１０１等に搬送する。先塗ユニット１０２は用紙の種類によってインクが定着し難い場合があるため、インクを定着し易くするための先塗液を用紙に塗布する。作像ユニット１０１は、用紙をドラムに巻き付け、当該ドラムに巻き付けられた用紙に対してラインヘッドにより画像を形成する。
【００１０】
乾燥・冷却ユニット１０４は、作像ユニット１０１で用紙に形成された画像を乾燥させて、当該画像を用紙に定着させる。反転ユニット１０５は、乾燥・冷却ユニット１０４から搬出された用紙の裏面にも画像を形成する場合に、スイッチバックさせた用紙を、作像ユニット１０１に再搬送する。排紙ユニット１０６は、乾燥・冷却ユニットにより画像が定着された用紙をスタックする。なお、排紙ユニット１０６は後述するように複数の排紙口があり、例えば本印刷の印刷物が排紙される本印刷トレイと試し刷り印刷の印刷物が排紙されるプルーフトレイとが設けられている。
【００１１】
図１ではインクジェット方式の画像形成装置１を一例として示した。インクジェット方式の画像形成装置１は吐出器（吐出ヘッド、インクヘッド、記録ヘッド、インクジェットなど）から液滴（インクなど）を吐出して、記録媒体の表面に画像を形成する装置又は機器の一例である。また、画像形成装置１は図２に示す電子写真方式であってもよい。
【００１２】
図２は本実施形態に係る画像形成装置の他の例の構成図である。図２の画像形成装置１は本体２００、大容量スタッカ２０１及び後処理装置２０２を有する。本体２００は画像入力部、プリンタエンジン部、給紙部、排紙部を有する。プリンタエンジン部は、書き込み光学系、作像系及び定着系の各構成要素を有する。作像系では、画像情報に応じて変調されたレーザ光が感光体ドラム上に到達することにより、感光体ドラム上に潜像の書き込みが行われる。
【００１３】
感光体ドラムに書き込まれた潜像は現像ユニットによりトナー現像される。現像により顕在化されたトナー像は、感光体ドラムと同速で回動する搬送ベルトで搬送される用紙に転写される。この用紙は定着系に搬送される。定着系は、加熱ローラ及び加圧ローラからなる定着ユニットであり、転写画像の定着が行われる。給紙部に収納された用紙は縦搬送ユニットにより感光体ドラムに当接する位置に搬送される。排紙部は、画像が形成された用紙を大容量スタッカ２０１に排出する排出ユニット、片面に画像を形成した用紙を反転して再給紙することにより両面に画像形成する両面ユニットを有する。
【００１４】
大容量スタッカ２０１は複数のスタッカトレイ２１１を有する。また、大容量スタッカ２０１は上部にサンプルトレイ２１２を有する。大容量スタッカ２０１のスタッカトレイ２１１及びサンプルトレイ２１２は選択的に使用が可能である。また、大容量スタッカ２０１はスタッカトレイ２１１及びサンプルトレイ２１２を使用せず、スルーパス通路を経由することにより後段の後処理装置２０２に排紙することもできる。後処理装置２０２は大容量スタッカ２０１から排紙された用紙に対して、パンチ処理やステープル処理などの後処理を行ったあと、排紙トレイに排紙する。
【００１５】
なお、図１及び図２に示した画像形成装置１は画像形成に係る処理をソフトウェア的に制御するための例えば図３に示すコンピュータを構成として更に有している。図３はコンピュータの一例のハードウェア構成図である。
【００１６】
図３のコンピュータは、コントローラ６０１、操作パネル６０２、外部Ｉ／Ｆ６０３及び通信Ｉ／Ｆ６０４などを備える。また、コントローラ６０１はＣＰＵ６１１、ＲＡＭ６１２、ＲＯＭ６１３、ＮＶＲＡＭ６１４及びＨＤＤ６１５などを備える。ＲＯＭ６１３は各種プログラムやデータが格納されている。ＲＡＭ６１２はプログラムやデータを一時保持する。ＮＶＲＡＭ６１４は、ジョブ設定などの設定情報等が格納されている。ＨＤＤ６１５は各種プログラムやジョブデータなどのデータが格納されている。
【００１７】
ＣＰＵ６１１は、ＲＯＭ６１３やＮＶＲＡＭ６１４、ＨＤＤ６１５などからプログラムやデータ、設定情報等をＲＡＭ６１２上に読み出し、処理を実行することで、画像形成装置１全体の制御や機能を実現する。
【００１８】
操作パネル６０２は操作者からの入力を受け付ける入力部と、表示を行う表示部とを備えている。外部Ｉ／Ｆ６０３は外部装置とのインタフェースである。外部装置には、記録媒体６０３ａなどがある。これにより、画像形成装置１は外部Ｉ／Ｆ６０３を介して記録媒体６０３ａの読み取り及び／又は書き込みを行うことができる。記録媒体６０３ａは例えばＩＣカード、フレキシブルディスク、ＣＤ、ＤＶＤ、ＳＤメモリカード、ＵＳＢメモリ、ＳＩＭカード等である。また、通信Ｉ／Ｆ６０４は画像形成装置１をネットワークに接続させるインタフェースである。
【００１９】
なお、本実施形態は、図３のコンピュータで実行されるソフトウェアと図１〜図３に示したハードウェア資源とが協働することで、後述する図４の機能ブロックによる情報処理が実現される。
【００２０】
＜ソフトウェア構成＞
本実施形態に係る画像形成装置１は例えば図４に示す機能ブロックを実現する。図４は本実施形態に係る画像形成装置の一例の機能ブロック図である。図４の画像形成装置１はジョブ受付部１０、印刷制御部１２、ジョブ記憶部１４、印刷部１６及び排紙制御部１８を有する。また、ジョブ受付部１０は設定受付部２０、試し刷り印刷実行要求受信部２２及び本印刷実行要求受付部２４を有する。
【００２１】
ジョブ受付部１０は、操作者からジョブ設定、試し刷り印刷の実行要求、本印刷の実行要求などを受け付ける。ジョブ受付部１０の設定受付部２０は操作者から例えば色味の調整などを行うためのジョブ設定を受け付ける。
【００２２】
試し刷り印刷実行要求受信部２２は操作者から試し刷り印刷の実行要求を受け付け、受け付けた試し刷り印刷の実行要求を印刷制御部１２に対して行う。本印刷実行要求受付部２４は操作者から本印刷の実行要求を受け付け、受け付けた本印刷の実行要求を印刷制御部１２に対して行う。
【００２３】
印刷制御部１２はジョブ受付部１０からジョブ設定が指定された試し刷り印刷の実行要求又は本印刷の実行要求を受け付け、印刷部１６に実行させる試し刷り印刷又は本印刷を後述のように制御する。また、印刷制御部１２は印刷部１６により試し刷り印刷した印刷物と印刷部１６により本印刷した印刷物とが異なる排紙口から排紙されるように排紙制御部１８に要求する。
【００２４】
ジョブ記憶部１４は、ジョブ設定やジョブデータを記憶している。印刷部１６は実行要求を受け付けたジョブの試し刷り印刷又は本印刷を、指定されたジョブ設定に従って実行する。排紙制御部１８は印刷制御部１２からの要求に従い、印刷部１６により試し刷り印刷した印刷物と印刷部１６により本印刷した印刷物とが異なる排紙口から排紙するように制御する。
【００２５】
＜処理＞
《本実施形態の概要》
以下では、先行して本印刷を実行するジョブを先行ジョブと呼び、先行ジョブよりも後で本印刷を実行する１つ以上のジョブを後続ジョブと呼ぶ。また、ジョブは本印刷の実行前に少なくとも１回の試し刷り印刷を実行するものとする。
【００２６】
先行ジョブの本印刷が完了してから後続ジョブの試し刷り印刷を実行する場合は、例えば図５に示すように、本印刷を行う印刷時間（アップタイム）以外の非印刷時間（ダウンタイム）が増加する。
【００２７】
図５は連続して実行するジョブの本印刷の間に発生するダウンタイムについて説明するための模式図である。図５の上段は先行ジョブのジョブ設定、試し刷り印刷、本印刷及びポストプレス（後処理）が実行されるタイミングを示している。また、図５の下段は後続ジョブのジョブ設定、試し刷り印刷、本印刷及びポストプレスが実行されるタイミングを示している。
【００２８】
図５に示したように、先行ジョブの本印刷が完了してから後続ジョブの試し刷り印刷を実行する画像形成装置１では、先行ジョブの本印刷が完了してから後続ジョブの本印刷が開始されるまでの時間であるダウンタイムが、発生する。ダウンタイムは、後続ジョブのジョブ設定と試し刷り印刷とを繰り返す回数が多くなるほど増加する。
【００２９】
そこで、本実施形態では先行ジョブの本印刷に割り込ませて後続ジョブの試し刷り印刷を実行することにより、例えば図６に示すように、ダウンタイムを、ほぼ「０」に減少させる。
【００３０】
図６は本実施形態に係る画像形成装置において、連続して実行するジョブの本印刷の間に発生するダウンタイムについて説明するための模式図である。図６は下段の後続ジョブが実行されるタイミングが図５と異なる。図６の下段に示したように、本実施形態に係る画像形成装置１は先行ジョブの本印刷に割り込ませて後続ジョブの試し刷り印刷を実行することにより、先行ジョブの本印刷が完了する前に、後続ジョブのジョブ設定及び試し刷り印刷を完了できる。
【００３１】
したがって、先行ジョブの本印刷に割り込ませて後続ジョブの試し刷り印刷を実行する本実施形態に係る画像形成装置１は、後続ジョブのジョブ設定と試し刷り印刷とを繰り返す回数が多くなったとしても、ダウンタイムが、ほぼ「０」に減少できる。
【００３２】
図７は本実施形態に係る画像形成装置において、連続して実行するジョブの試し刷り印刷及び本印刷の一例のタイムテーブルである。図７に示す試し刷り印刷は操作者による作業となる。また、本印刷は本印刷の実行要求を受け付けた順に従い、画像形成装置１が実行する。
【００３３】
図７の例では操作者が「ジョブＡ」「ジョブＢ」「ジョブＣ」の順に、ジョブ設定及び試し刷り印刷を行っている。なお、操作者は「ジョブＡ」の試し刷り印刷により色校正が完了すると、本印刷の実行要求を後述の操作画面から行う。画像形成装置１は本印刷が実行されていないため、実行要求を受け付けた「ジョブＡ」の本印刷を開始する。
【００３４】
「ジョブＢ」のジョブ設定及び試し刷り印刷は「ジョブＡ」の本印刷が実行されている間に行われる。例えば図７に示した「ジョブＢ」のジョブ設定及び試し刷り印刷は２回行われているが、その試し刷り印刷が「ジョブＡ」の本印刷に割り込んで実行される。試し刷り印刷は、例えば「ジョブＡ」の本印刷の部数間に割り込んで実行され、本印刷用排紙口と異なる試し印刷用排紙口に印刷物が排紙される。図７に示すように、本印刷に割り込んで実行される試し刷り印刷の時間は僅かであり、本印刷の稼働効率にほとんど影響を与えない。なお、操作者は「ジョブＢ」の試し刷り印刷により色校正が完了すると、本印刷の実行要求を後述の操作画面から行う。画像形成装置１は「ジョブＡ」の本印刷が実行されているため、実行要求を受け付けた「ジョブＢ」の本印刷を「ジョブＡ」の本印刷が完了するまで待機させる。
【００３５】
さらに「ジョブＣ」のジョブ設定及び試し刷り印刷は「ジョブＡ」及び「ジョブＢ」の本印刷が実行されている間に行われる。例えば図７に示した「ジョブＣ」のジョブ設定及び試し刷り印刷は２回行われているが、その試し刷り印刷が「ジョブＢ」の本印刷に割り込んで実行される。試し刷り印刷は、例えば「ジョブＢ」の本印刷の部数間に割り込んで実行され、本印刷用排紙口と異なる試し印刷用排紙口に印刷物が排紙される。
【００３６】
なお、操作者は「ジョブＣ」の試し刷り印刷により色校正が完了すると、本印刷の実行要求を後述の操作画面から行う。画像形成装置１は「ジョブＢ」の本印刷が実行されているため、実行要求を受け付けた「ジョブＣ」の本印刷を「ジョブＢ」の本印刷が完了するまで待機させる。
【００３７】
図７のタイムテーブルに示したように、本実施形態に係る画像形成装置１は操作者の作業を本印刷から独立させることができる。また、操作者は連続して実行するジョブの色校正までの作業を効率的に行うことができる。画像形成装置１は色校正までの作業が完了したジョブの本印刷の実行要求を、先行ジョブの本印刷の完了を待たずに受け付け、本印刷が可能となったタイミングで本印刷を開始できるので、ダウンタイムを減少できる。
【００３８】
図８は本実施形態に係る操作画面の一例のイメージ図である。図８の操作画面１０００は要求受付ボタン１００２、ジョブ設定欄１００４、稼働状況表示欄１００６、ジョブ一覧画面１００８を含む。
【００３９】
図８に示す要求受付ボタン１００２は操作者から本印刷の実行要求を受け付ける「Ｐｒｉｎｔ」ボタン、実行中の先行ジョブの本印刷に割り込む試し刷り印刷の実行要求を受け付ける「Ｓａｍｐｌｅ  Ｐｒｉｎｔ（割込）」ボタン、などが含まれる。
【００４０】
ジョブ設定欄１００４は操作者から「ジョブＢ」のジョブ設定を受け付けるための欄である。稼働状況表示欄１００６は、画像形成装置１の稼働状況を表示する欄であり、画像形成装置１が「ジョブＡ」の本印刷中であることを表している。ジョブ一覧画面１００８はジョブ設定や試し刷り印刷の実行要求、本印刷の実行要求を行うジョブを選択するための欄である。
【００４１】
図９は印刷制御部が印刷部に実行させる試し刷り印刷又は本印刷を制御する処理の一例のフローチャートである。ステップＳ１１に進み、印刷制御部１２はジョブ受付部１０からジョブの試し刷り印刷の実行要求又は本印刷の実行要求を受け付ける。ステップＳ１２に進み、印刷制御部１２は印刷部１６で先行ジョブの本印刷が実行中か否かを判定する。
【００４２】
印刷部１６で先行ジョブの本印刷が実行中でなれば、印刷制御部１２はステップＳ１３に進み、ステップＳ１１で実行要求を受け付けたジョブの試し刷り印刷又は本印刷を印刷部１６に実行させる。印刷部１６で先行ジョブの本印刷が実行中であれば、印刷制御部１２はステップＳ１４に進み、ステップＳ１１で受け付けた実行要求が試し刷り印刷であるか否かを判定する。
【００４３】
受け付けた実行要求が試し刷り印刷であれば、ステップＳ１５に進み、印刷制御部１２は印刷部１６で実行中の先行ジョブの本印刷を一時停止させる。ステップＳ１６で印刷制御部１２は後続ジョブの試し刷り印刷のジョブ設定に変更したあと、ステップＳ１７において後続ジョブの試し刷り印刷を実行する。印刷制御部１２は試し刷り印刷した印刷物を試し印刷用排紙口から排紙するように排紙制御部１８に要求し、試し刷り印刷した印刷物が本印刷用排紙口から排紙されないように制御する。
【００４４】
ステップＳ１８に進み、印刷制御部１２は先行ジョブの本印刷のジョブ設定に戻したあとで、ステップＳ１９において先行ジョブの本印刷を再開させる。なお、ステップＳ１１で受け付けた実行要求が試し刷り印刷でないとステップＳ１４で判定されると、印刷制御部１２はステップＳ２０に進み、先行ジョブの本印刷が完了したあとで、本印刷が開始されるように、後続ジョブの本印刷の実行要求を保存する。
【００４５】
なお、本実施形態の画像形成装置１は図９のフローチャートに示したように先行ジョブの本印刷の実行中に後続ジョブの試し刷り印刷を割り込ませて実行する為に、ジョブ設定の変更が必要となる。なお、ジョブ設定が変更された場合、電子写真方式の印刷部１６では印刷品質を安定させる時間が若干必要となる。一方で、インクジェット方式の印刷部１６ではジョブ設定が変更された場合であっても、印刷品質を安定させる時間がほとんど不要であるため、電子写真方式よりも稼働効率の点で優れている。
［第２の実施形態］
第１の実施形態では画像形成装置１の操作パネル６０２などに図８の操作画面１０００を表示して、操作者から本印刷の実行要求や試し刷り印刷の実行要求を受け付ける例を説明した。第２の実施形態では、例えば図１０に示す印刷システムで本実施形態に係る処理を実現する。
【００４６】
図１０は本実施形態に係る印刷システムの一例の構成図である。図１０の印刷システムは画像形成装置１と端末装置２とがネットワークを介して接続された構成である。端末装置２は操作者が操作する情報処理端末であって、スマートフォンや携帯電話、ＰＣなどの情報処理端末である。
【００４７】
第２の実施形態では、端末装置２に図４に示したジョブ受付部１０を設け、更に、画像形成装置１と端末装置２とが、本印刷や試し刷り印刷の実行要求を送受信するための通信部を、画像形成装置１と端末装置２とにそれぞれ設ける。その他は第１の実施形態と同様であるため、説明を省略する。
【００４８】
本発明は、具体的に開示された実施例に限定されるものではなく、特許請求の範囲から逸脱することなく、種々の変形や変更が可能である。なお、本実施形態において画像が形成される記録媒体は、コート紙、厚紙、ＯＨＰ、プラスチックフィルム、プリプレグ、銅箔などであってもよく、紙に限定されない。
【００４９】
なお、ジョブ受付部１０は特許請求の範囲に記載した受付手段の一例である。印刷部１６は印刷手段の一例である。印刷制御部１２は印刷制御手段の一例である。排紙制御部１８は排紙制御手段の一例である。設定受付部２０は設定受付手段の一例である。試し刷り印刷実行要求受付部２２は試し刷り印刷実行要求受付手段の一例である。本印刷実行要求受付部２４は本印刷実行要求受付手段の一例である。
【符号の説明】
【００５０】
１    画像形成装置
２    端末装置
３    ネットワーク
１０    ジョブ受付部
１２    印刷制御部
１４    ジョブ記憶部
１６    印刷部
１８    排紙制御部
２０    設定受付部
２２    試し刷り印刷実行要求受信部
２４    本印刷実行要求受付部
２１１    スタッカトレイ
２１２    サンプルトレイ
６０２    操作パネル
【先行技術文献】
【特許文献】
【００５１】
【特許文献１】特開２０１０−６４３８８号公報
【図１】
2019171830.tif 000003
【図２】
2019171830.tif 000004
【図３】
2019171830.tif 000005
【図４】
2019171830.tif 000006
【図５】
2019171830.tif 000007
【図６】
2019171830.tif 000008
【図７】
2019171830.tif 000009
【図８】
2019171830.tif 000010
【図９】
2019171830.tif 000011
【図１０】
2019171830.tif 000012